(57)【要約】【課題】  光源としてのＬＥＤ等の点状光源の光に所定の指向性を付与して分配し、点状光源の光を無駄なく所望する利用に供することを可能とする点状光源カバーレンズと、その点状光源カバーレンズを備えることにより、点状光源の光で均一かつ十分な輝度の良好な照明を行なうことのできる照明装置を提供する。【解決手段】  直交するＸＹＺ座標においてＹ軸方向に間隙を介して相互に対向配置された一対の被照射体６と前記間隙のＺ軸方向における一側外方に配設された点状光源３１との間に配置されるレンズであって、Ｘ軸に平行な母線を有するシリンドリカルに形成され、前記レンズの本体１２には、前記点状光源３１の出射光が入射する入射面１４と、前記入射面１４から入射して伝搬された入射伝搬光を各被照射体６の被照射領域へ向けて振り分けるように規制する光制御出射面１５とを備える。【選択図】      図１
2010129447.tif 000002
【特許請求の範囲】
【請求項１】
直交するＸＹＺ座標においてＹ軸方向に間隙を介して相互に対向配置された一対の被照射体と前記間隙のＺ軸方向における一側外方に配設された点状光源との間に配置されるレンズであって、
前記レンズは、Ｘ軸に平行な母線を有するシリンドリカルに形成され、前記レンズの本体には、前記点状光源の出射光が入射する入射面と、前記入射面から入射して伝搬された入射伝搬光を各被照射体の被照射領域へ向けて振り分けるように規制する光制御出射面とを備えることを特徴とする点状光源カバーレンズ。
【請求項２】
前記光制御出射面は、前記点状光源の光軸を含み前記Ｘ軸に直交する断面において、前記間隙側へ凸となる曲線が前記点状光源の光軸を以て対称に形成されているとともに、前記光軸の位置に最深部となる凹部が形成され、光制御出射面上の各箇所から出射した照射光を前記光軸を横切ることなく各被照射領域へ向かって直進させる非球面形状とされていることを特徴とする請求項１に記載の点状光源カバーレンズ。
【請求項３】
前記光制御出射面の両端裾野部分は粗面化させて形成されていることを特徴とする請求項１または請求項２に記載の点状光源カバーレンズ。
【請求項４】
前記入射面は、前記点状光源の出射光が入射して伝搬される方向を規制するための光制御入射面とされていることを特徴とする請求項１乃至請求項３のいずれか１項に記載の点状光源カバーレンズ。
【請求項５】
前記光制御入射面は、前記点状光源の光源を含み前記Ｘ軸に直交する断面において、前記光軸に最深部を有する円弧状あるいはＶ字状の凹部が前記光軸を以て対称に形成され、前記光制御入射面上の各箇所から入射した前記点状光源の出射光を前記光軸を横切ることなく前記光制御出射面へ向かって伝搬形状とされていることを特徴とする請求項４に記載の点状光源カバーレンズ。
【請求項６】
前記一対の被照射体が前記Ｙ軸方向に間隙を介して互いに対向させて配設された被照明部と、前記被照明部の前記間隙の前記Ｚ軸方向における一側外方に配設され、前記一対の被照射体を前記間隙を通して内面側から照射可能とされた光源部とを筐体内に備える照明装置において、
前記光源部は、前記被照明部の一周辺に配置された１乃至複数個の前記点状光源と、前記点状光源と前記被照明部との間に前記被照射体の前記一周辺に沿って延在させて配設された請求項１乃至請求項５のいずれか１項に記載の点状光源カバーレンズとを備えることを特徴とする照明装置。
【請求項７】
前記一対の被照射体の外面には所望の情報表示が施され、前記内面側からの照射によって前記情報表示を照明表示するように構成されていることを特徴とする請求項６に記載の照明装置。
【発明の詳細な説明】
【技術分野】
【０００１】
ＬＥＤ等の点状光源から出射された光に所定の指向性を付与して照射光とする点状光源カバーレンズと、その点状光源カバーレンズを用いた照明装置に関する。
【背景技術】
【０００２】
従来より、中空の筐体内の天井部あるいは底部に光源を配設し、この光源を挟んで互いに対向する面を透明あるいは乳白色等の半透明の被照射体を有する照明装置が知られており、前記光源の出射光を前記被照射体から筐体外へ透過させることで、被照射体の外側表面は照明装置の２つの主面となる発光面として機能する。その発光面から出射される光は、照明装置の周辺を照明する一般照明用として用いられたり、被照射体の外側表面に所望の情報表示を施すことによって形成された情報表示面を内側から照明する電飾パネル用として用いられたりすることが知られている（特許文献１）。
【０００３】
このように構成された照明装置は、互いに対向する面に施された情報表示の何れもが、より多くの人の目に止まるように、例えば駅、空港、劇場等の施設の高所に吊下げられ、案内表示板や誘導板等の電飾パネル装置としても用いられている。
【０００４】
図１１は、天井部から吊下げて配設された、電飾パネル装置として用いられる従来の照明装置Ｌの一例を示す要部断面図である。
【０００５】
この照明装置Ｌの筐体１は全体外形を幅薄面広な方形とされており、図示しない電気的な配線がなされた天板２とこれに対向させて配置された底板３とを一対の側板（図示せず）で連接させた矩形状の枠体４と、その枠体４にそれぞれ互いに対向させるように配置された一対の被照射板５とから構成され、中空に形成されている。被照射板５はその中央部に矩形状の開口５ａが形成された枠状とされており、開口５ａには、被照射体としての拡散板６が嵌着等により固定されるようになっている。そして、各拡散板６の筐体１内に向く面（内面）には、光源からの遠近で表示面に輝度の差が生じないように光の透過量を調節する半透過反射フィルム等の遮光フィルム７が貼設されており、さらに、筐体１外に向く面（外面）には、直接印刷あるいは印刷された透明シートの貼着等により、所望の情報表示Ｎが施され、情報表示面８とされている。また、中空とされた筐体１内の天井部であって、被照射板５の枠に隠れる部分には、天板２に形成された配線と接続されて点灯可能とされた光源が配設され、その光源の出射光を前記拡散板６から筐体１外へ透過させる際に、前記情報表示面８を内側から照明し、情報表示面８に施された所望の情報表示Ｎを視認し易く際立たせて照明表示するように構成されている。
【０００６】
ところで、従来の照明装置は、その光源として蛍光灯９が利用されていた。そのため、蛍光灯９の交換作業（メンテナンス）がその寿命に合わせて定期的に必要であり、前述のように、この照明装置Ｌが吊下げられ、高所に掲げられている場合には、蛍光灯９の交換は大変な作業となり、そのメンテナンスのための人的コストもかかっていた。また、蛍光灯９はガラス、金属、蛍光水銀などで構成されているために、廃棄処理も困難であった。
【０００７】
そこで、最近では、この蛍光灯９を、環境に優しく、蛍光灯９に比べて長寿命であり、電気代も安価となるＬＥＤ（Ｌｉｇｈｔ  Ｅｍｉｔｔｉｎｇ  Ｄｉｏｄｅ：発光ダイオード）に代えて照明装置Ｌを構成することが積極的に検討され、実施されるようになってきている。
【０００８】
【特許文献１】特開２０００−２１４８０８号公報
【発明の開示】
【発明が解決しようとする課題】
【０００９】
ところが、蛍光灯９とＬＥＤには、蛍光灯９の出射光は四方八方に広がって周囲を全体的に明るく照らすのに対し、ＬＥＤの出射光は前方に向かって直進し易い、という特性の違いがある。
【００１０】
そのため、従来の照明装置Ｌの蛍光灯９を単にＬＥＤに置き換えても、ＬＥＤの光軸ＯＡに対して小さな角度で出射される出射光は、ＬＥＤが配設された面と対向する方向へ照射されるため、その対向する方向に形成された面に到達して吸収されたり、あるいは、その対向する方向に形成された面に反射板が配設されている場合には、ＬＥＤ方向へまた反射されてしまい、被照射体６を透過させて情報表示面８の照明に寄与させることは難しく（光のロス）、情報表示面８が筐体１の内側から十分に照明されなかったり（輝度不足）、情報表示面８において光源近傍は明るく、光源から離れるにしたがって暗く表示されてしまう（輝度分布のばらつき）といった問題が生じる。
【００１１】
本発明は、このような問題点に鑑みてなされたものであり、光源としてのＬＥＤ等の点状光源の光に所定の指向性を付与して分配し、点状光源の光を無駄なく所望する利用に供することを可能とする点状光源カバーレンズと、その点状光源カバーレンズを備えることにより、点状光源の光で均一かつ十分な輝度の良好な照明を行なうことのできる照明装置を提供することを目的とする。
【課題を解決するための手段】
【００１２】
前記目的を達成するため、本発明の点状光源カバーレンズは、直交するＸＹＺ座標においてＹ軸方向に間隙を介して相互に対向配置された一対の被照射体と前記間隙のＺ軸方向における一側外方に配設された点状光源との間に配置されるレンズであって、前記レンズは、Ｘ軸に平行な母線を有するシリンドリカルに形成され、前記レンズの本体には、前記点状光源の出射光が入射する入射面と、前記入射面から入射して伝搬された入射伝搬光を各被照射体の被照射領域へ向けて振り分けるように規制する光制御出射面とを備えることを特徴とする。具体的には、前記光制御出射面は、前記点状光源の光軸を含み前記Ｘ軸に直交する断面において、前記間隙側へ凸となる曲線が前記点状光源の光軸を以て対称に形成されているとともに、前記光軸の位置に最深部となる凹部が形成され、光制御出射面上の各箇所から出射した照射光を前記光軸を横切ることなく各被照射領域へ向かって直進させる非球面形状とされている。このように光制御出射面を形成することにより、点状光源の光を各被照射体の配設方向へ振り分け、かつ、各被照射体における被照射領域へ配光して、出射することができる。
【００１３】
また、前記光制御出射面の両端裾野部分は粗面化させて形成されていることを特徴とする。これにより、光源近くに照射される照射光を乱反射させることができる。
【００１４】
さらに、前記入射面は、ＬＥＤの出射光が入射して伝搬される方向を規制するための光制御入射面とされていることを特徴とし、具体的には、前記光制御入射面は、前記点状光源の光源を含み前記Ｘ軸に直交する断面において、前記光軸に最深部を有する円弧状あるいはＶ字状の凹部が前記光軸を以て対称に形成され、前記光制御入射面上の各箇所から入射した前記点状光源の出射光を前記光軸を横切ることなく前記光制御出射面へ向かって伝搬形状とされている。前記光制御入射面を形成することにより、前記光制御出射面と相俟ってＬＥＤの光の進行方向を更に細かく規制し、ＬＥＤの光を各照射体の配設方向へ振り分け、かつ、各被照射領域全域へ配光して、出射することができる。
【００１５】
そして、本発明の照明装置は、前記一対の被照射体が前記Ｙ軸方向に間隙を介して互いに対向させて配設された被照明部と、前記被照明部の前記間隙の前記Ｚ軸方向における一側外方に配設され、前記一対の被照射体を前記間隙を通して内面側から照射可能とされた光源部とを筐体内に備える照明装置において、前記光源部は、前記被照明部の一周辺に配置された１乃至複数個の前記点状光源と、前記点状光源と前記被照明部との間に前記被照射体の前記一周辺に沿って延在させて配設された請求項１乃至請求項５のいずれか１項に記載の点状光源カバーレンズとを備えることを特徴とする。これにより、点状光源カバーレンズがＬＥＤの光を各被照射体の配設方向へ振り分け、かつ、各被照射体における被照射領域へ配光して出射するので、各被照射体を均一かつ十分な輝度で、良好に照明することができる。
【００１６】
また、前記一対の被照射体の外面には所望の情報表示が施され、前記内面側からの照射によって前記情報表示を照明表示するように構成されていることを特徴とする。これにより、点状光源カバーレンズがＬＥＤの光を各光媒体の配設方向へ振り分け、かつ、各光媒体における被照射領域へ配光して出射するので、各光媒体に施された情報表示を均一かつ十分な輝度で、良好に照明表示することができる。
【発明の効果】
【００１７】
このように、本発明の点状光源カバーレンズによれば、光源としてのＬＥＤ等の点状光源の光に所定の指向性を付与して分配し、点状光源の光を無駄なく所望する利用に供することができる、また、本発明の照明装置によれば、点状光源の光で均一かつ十分な輝度の良好な照明を行なうことができる。よって、従来の電飾パネル装置に用いられていた蛍光灯をＬＥＤに代えることも現実的となり、環境保全（エコロジー）や省エネに貢献することも可能となる。
【発明を実施するための最良の形態】
【００１８】
まず、本発明の点状光源カバーレンズ（以下、単にカバーレンズという）の実施形態について説明する。
【００１９】
本実施形態のカバーレンズ１１は、図１１に示す従来の照明装置Ｌにおける蛍光灯９に代えて、点状光源としてのＬＥＤ３１を用いる場合に、ＬＥＤ３１と組み合わせて光源部３０を構成するための光制御部材として、被照射体６とＬＥＤ３１との間に配置されて用いられるシリンドリカルなレンズである（図６参照）。このカバーレンズ１１は透光性の材料で形成される。適用可能な透光性の材料として、アクリル樹脂、ポリカーボネート樹脂、シリコーン樹脂、エポキシ樹脂等が挙げられる。
【００２０】
カバーレンズ１１は、例えば図７に示すように、ＬＥＤ３１の光に所定の指向性を付与するように作用するレンズ本体１２と、このレンズ本体１２をＬＥＤ３１を覆うようにＬＥＤ固定板３２（図６のＬＥＤ基板）にカバーレンズ１１を固定する為のフランジ１３とから構成されている。そして、レンズ本体１２がＬＥＤ３１を覆い、かつ、ＬＥＤ３１の光軸ＯＡと該レンズ本体１２における幅方向中央部に仮想される中心軸ＣＬとが直交するように調整して配置される。中心軸ＣＬは、カバーレンズ１１の光制御出射面１５の母線と平行である。ここでＬＥＤ３１の光軸とは、ＬＥＤ３１から出射される立体的な光束の中心を意味する。
【００２１】
すなわち、レンズ本体１２は、光軸ＯＡと中心軸ＣＬを含む仮想面に対して対称に形成されており、ＬＥＤ３１の出射光が入射する入射面１４と、この入射面１４から入射して伝搬された入射伝搬光を各被照射体６を照射する照射光として出射する出射面１５とを備えている。出射面１５は、入射伝搬光の出射方向を、各被照射体６の対向方向へ二分し、かつ、各被照射体６の照射目標となる被照射領域全域へ向けるように規制するための光制御出射面１５とされている。
【００２２】
図１は、本発明の第１実施形態のカバーレンズ１１におけるレンズ本体１２の断面図（光軸ＯＡを含み、中心軸ＣＬに直交する仮想面における断面、すなわちレンズ本体１２の厚み方向における断面）で、レンズ本体１２の基本構造、およびＬＥＤ３１から出射する光の光路を示したものである。本図においては、一対の被照射体は、図の上下方向に配設されることとなる。
【００２３】
本実施形態において、入射面１４は平面として形成されている。また、光制御出射面１５は非球面であって、レンズ本体１２の厚み方向における断面形状を、光軸ＯＡをもって対称に形成されており、光軸ＯＡ上に位置して光源側へ凹となるサグ部１６を構成する第１領域Ａ１と、第１領域Ａ１の両端に連接された曲面を構成する第２領域Ａ２とからなる、反光源側（被照射領域側）へ凸となる凸状とされている。この形状は、光制御出射面１５上の各箇所から出射した照射光を、光軸ＯＡを横切ることなく、各被照射体の被照射領域へ向かって直進させるための形状である。
【００２４】
すなわち、本実施形態のカバーレンズ１１は、ＬＥＤ３１の光軸ＯＡと該レンズ本体１２における幅方向中央部に仮想される中心軸ＣＬとが直交するように調整して配置されることにより、凸状のレンズ本体１２の光制御出射面１５における第２領域Ａ２に到達した入射伝播光を、その到達点がレンズ本体１２の周辺部（裾部）に近いほどＬＥＤ３１から近く位置する被照射領域へ向けて照射される照射光として振り分け、しかも、その照射光どうしを交差させずに被照射領域へ到達させるように設計されている。さらに、光制御出射面１５における第１領域Ａ１に到達した入射伝播光を、この第１領域Ａ１のサグ部１６により、両側の被照射領域に向けて照射される照射光として振り分けるように設計されている。点状光源としてのＬＥＤ３１は、微小な面積の面状発光光源であるが、この発光面の中心点Ｐ１から出射される光にＬＥＤ３１からの出射光を代表させてカバーレンズ１１が設計される。ＬＥＤ３１の光軸ＯＡは、この中心点Ｐ１を通る。
【００２５】
本実施形態においては、このように入射伝搬光の光制御出射面１５からの出射角を該光制御出射面１５の面形状によって調整し、ＬＥＤ３１の光に所定の指向性を付与することにより、ＬＥＤ３１の光を無駄なく、各被照射体の配設方向へ振り分け、かつ、各被照射体における被照射領域へ配光して出射することができる。なお、照射光の光束密度は、被照射体の被照射領域全域において均等とする必要はなく、例えば、ＬＥＤ３１側近傍から後方直近へ向かって漸次密となるように、照射光の出射角を制御することも可能である。
【００２６】
また、本発明のカバーレンズ１１は、出射面１５を光制御出射面１５とすることに加え、入射面１４を、ＬＥＤ３１の出射光が入射して伝搬される方向を規制するための光制御入射面１４’とすることも可能である。
【００２７】
図２は、本発明の第２実施形態のカバーレンズ１１におけるレンズ本体１２の断面図（光軸ＯＡを含み、中心軸ＣＬに直交する仮想面における断面）で、レンズ本体１２の基本構造、およびＬＥＤ３１から出射する光の光路を示したものであり、前述の第１実施形態と同じ間隙寸法で対向配置された一対の被照射体に対し、同じＬＥＤ３１を用いて光を出射する場合のカバーレンズ１１の形状を示している。よって、本図においても、一対の被照射体は、図の上下方向に配設されることとなる。また、この第２実施形態のカバーレンズ１１は、第１実施形態のカバーレンズ１１よりも、全体として反光源側に、つまり、遠いところに照射光を集めるように設計されている。
【００２８】
本実施形態において、入射面１４は光制御入射面１４’として形成されており、レンズ本体１２の厚み方向における断面形状を、光軸ＯＡをもって対称に形成されている。また、最深部を光軸ＯＡ上に位置させて反光源側へ凹となる曲率の大きな円弧状とされ、光制御入射面１４’上の各箇所から入射したＬＥＤ３１の出射光を光軸ＯＡを横切ることなく光制御出射面１５へ向かって伝搬する形状とされている。
【００２９】
そして、このような形状とされた本実施形態のカバーレンズ１１においては、ＬＥＤ３１の光軸ＯＡと該レンズ本体１２における幅方向中央部に仮想される中心軸ＣＬとが直交するように調整して配置されることにより、図２において光軸ＯＡに対して大きな角度で出射されたＬＥＤ３１の出射光を、カバーレンズ１１の光制御入射面１４’における光軸ＯＡから離れた周辺箇所から入射し、この光制御入射面１４’において光軸ＯＡに近づく方向に（第１実施形態に比べると光軸ＯＡから離れる方向に）屈折して、カバーレンズ１１内を伝播する入射伝播光とする。また、光軸ＯＡに対して小さな角度で出射されたＬＥＤ３１の出射光を、カバーレンズ１１の光制御入射面１４’における光軸ＯＡに近い箇所から入射し、光軸ＯＡ近傍を伝播する入射伝播光とする。その際、本実施形態のカバーレンズ１１においては、光制御入射面１４’を出射面１５側へ凹となる曲率の大きな円弧状の凹状としたことにより、光軸ＯＡに対して小さな角度で出射されたＬＥＤ３１の出射光は、前述の第１実施形態のカバーレンズ１１に比べ、光軸ＯＡから離れる方向へ屈折される。
【００３０】
また、光制御出射面１５は、前述の第１実施形態と同様に非球面であって、図２に示すレンズ本体１２の厚み方向における断面形状を、光軸ＯＡをもって対称に形成されており、光軸ＯＡ上に位置して光源側へ凹となるサグ部１６である第１領域Ａ１と、第１領域Ａ１の両端に連接された曲面の第２領域Ａ２とからなる、反光源側（被照射領域側）へ凸となる凸状とされている。
【００３１】
この形状は、光制御出射面１５上の各箇所から出射した照射光が光軸ＯＡを横切ることなく、各被照射体の被照射領域へ向かって直進させるための形状であり、本実施形態においては、特に、凸状のレンズ本体１２の周辺部からレンズ頂部部分に位置することとなる第２領域の曲率が前述の第１実施形態よりも大きく形成されており、照射光を全体として遠くへ直進させるように構成されている。
【００３２】
すなわち、本実施形態のカバーレンズ１１は、ＬＥＤ３１の光軸ＯＡと該レンズ本体１２における幅方向中央部に仮想される中心軸ＣＬとが直交するように調整して配置されることにより、凸状のレンズ本体１２の光制御出射面１５における第２領域に到達した入射伝播光を、その到達点がレンズ本体１２の周辺部（裾部）に近いほどＬＥＤ３１から近く位置する被照射領域へ向けて照射される照射光として振り分け、しかも、その照射光を交差させずに被照射領域へ到達させるように設計されている。また、光制御出射面１５における第１領域Ａ１に到達した入射伝播光を、この第１領域Ａ１のサグ部１６により、両側の被照射領域に向けて照射される照射光として振り分けるように設計されている。そして、本実施形態においては、特に、凸状のレンズ本体１２に形成された第２領域の曲率が、前述の第１実施形態よりも大きく、凸が強くなるように形成され、照射光を光源から離れた側へ照射するように設計されている。
【００３３】
本実施形態においては、このように光制御入射面１４’を、ＬＥＤ３１の照射光の入射角度を規制するように形成することにより、光制御出射面１５と相俟ってＬＥＤ３１の光の進行方向を更に細かく規制して所定の指向性を付与することにより、ＬＥＤ３１の光を無駄なく、各被照射体の配設方向へ振り分け、かつ、比較的、光源から遠い被照射領域全域へ配光して、出射することができる。
【００３４】
図３は、本発明の第３実施形態のカバーレンズ１１におけるレンズ本体１２の断面図（光軸ＯＡを含み、中心軸ＣＬに直交する仮想面における断面）で、レンズ本体１２の基本構造、およびＬＥＤ３１から出射する光の光路を示したものであり、前述の第１実施形態と同じ間隙寸法で対向配置された一対の被照射体６に対し、同じＬＥＤ３１を用いてＬＥＤ３１の光を出射する場合のカバーレンズ１１の形状を示している。よって、本図においても、一対の被照射体６は、図の上下方向に配設されることとなる。この第３実施形態のカバーレンズ１１は、第１実施形態のカバーレンズ１１と第２実施形態のカバーレンズ１１とを組合せ、広範囲に向けて照射光の直進方向を規制するように設計されている。
【００３５】
本実施形態において、入射面１４は光制御入射面１４’として、前記レンズ本体１２の厚み方向における断面形状を、前記光軸ＯＡを対称に形成されており、最深部を光軸ＯＡ上に位置させて出射面１５側へ凹となるＶ字状とされ、光制御入射面１４’上の各箇所から入射したＬＥＤ３１の出射光を前記光軸ＯＡを横切ることなく光制御出射面１５へ向かって伝搬する形状とされている。
【００３６】
そして、このような形状とされた本実施形態のカバーレンズ１１においては、ＬＥＤ３１の光軸ＯＡと該レンズ本体１２における幅方向中央部に仮想される中心軸ＣＬとが直交するように調整して配置されることにより、光軸ＯＡに対して大きな角度で出射されたＬＥＤ３１の出射光を、カバーレンズ１１の入射面１４における光軸ＯＡから離れた箇所から入射し、光軸ＯＡに近づく方向に（第１実施形態に比べると光軸ＯＡから離れる方向に）屈折して、カバーレンズ１１内を伝播する入射伝播光とする。また、光軸ＯＡに対して小さな角度で出射されたＬＥＤ３１の出射光を、カバーレンズ１１の入射面１４における光軸ＯＡに近い箇所から入射し、光軸ＯＡ近傍を伝播する入射伝播光とする。その際、本実施形態のカバーレンズ１１においては、光制御入射面１４’を出射面１５側へ凹となるＶ字状に形成したことにより、光軸ＯＡに対して小さな角度で出射されたＬＥＤ３１の出射光は、前述の第１実施形態のカバーレンズ１１に比べ、光軸ＯＡから離れる方向へ屈折される。
【００３７】
また、光制御出射面１５は、前述の第１実施形態と同様に非球面であって、レンズ本体１２の幅方向における断面形状が、光軸ＯＡを対称軸として幅方向に対称に形成されている。そして、その幅方向断面形状は、光軸ＯＡ上に位置して光源側へ凹となるサグ部１６である第１領域Ａ１と、第１領域Ａ１の両端に連接された曲面の第２領域と、第２領域の両端に連接された緩やかな傾斜直線状の第３領域とからなる、反光源側（被照射領域側）へ凸となる凸状とされている。
【００３８】
この形状は、光制御出射面１５上の各箇所から出射した照射光が光軸ＯＡを横切ることなく被照射領域へ向かって直進させるための形状であり、本実施形態においては、特に、第２領域の曲率が前述の第１実施形態よりも大きく形成されており、照射光を遠くへ直進させるように構成されているとともに、光出射制御面の周辺部に形成した第３領域により、この第３領域に到達した入射伝搬光をＬＥＤ３１から極めて近く位置する被照射領域へ向けて直進させるように構成されている。
【００３９】
すなわち、本実施形態のカバーレンズ１１は、ＬＥＤ３１の光軸ＯＡと該レンズ本体１２における幅方向中央部に仮想される中心軸ＣＬとが直交するように調整して配置されることにより凸状のレンズ本体１２の光制御出射面１５における第３領域に到達した入射伝播光を、ＬＥＤ３１から最も近く位置する被照射領域へ向けて照射される照射光として振り分け、第２領域に到達した入射伝播光をその到達点がレンズ本体１２の周辺部（裾部）に近いほど、第３領域から出射される照明光に続けてＬＥＤ３１から近く位置する被照射領域へ向けて照射される照射光として振り分け、しかも、これらの照射光が交差することがないように設計されている。また、光制御出射面１５における第１領域Ａ１に到達した入射伝播光を、この第１領域Ａ１は凹部形状であるサグ部１６により、両側の被照射領域に向けて照射される照射光となるように振り分けるように設計されている。さらに、本実施形態においては、特に、凸状のレンズ本体１２に放物線状に形成された第２領域の曲率が、前述の第１実施形態よりも大きく、凸が強くなるように形成され、照射光を光源から離れた側へ照射するように設計されており、しかも、第３領域は、到達した入射伝播光をＬＥＤ３１に極めて近く位置する被照射領域へ向けて照射するように傾斜を緩やかに設計されている。
【００４０】
本実施形態においては、このように光制御入射面１４’のＬＥＤ３１の照射光の入射角度を規制するように形成することにより、光制御出射面１５と相俟ってＬＥＤ３１の光の進行方向を更に細かく規制し、ＬＥＤ３１の光を各被照射体の配設方向へ振り分け、かつ、より広い被照射領域全域へ配光して、出射することができる。
【００４１】
またさらに、図４は本発明の第４実施形態のカバーレンズ１１の要部を示す断面図であり、本実施形態のカバーレンズ１１は、前述の第２実施形態のカバーレンズ１１の光制御出射面１５の幅方向断面における両端部分を、公知のレーザー法、ブラスト法、放電法などにより微細な凹凸を形成して粗面化させた、粗面部１７としている。
【００４２】
このように、光制御出射面１５における幅方向断面における両端部分に粗面部を形成することにより、光源近くに照射される照射光を乱反射させ拡散させることができる。これにより、入光面の輝線及びＬＥＤ３１、ＬＥＤ３１間の暗部を緩和することができる。
【００４３】
なお、光制御出射面１５の幅方向断面における両端部分を粗面化させることは、前述の第１乃至第３の何れのカバーレンズ１１においても可能であり、その効果を得ることができる。
【００４４】
ここで、図５は、前述のカバーレンズ１１の第１乃至第４実施形態に共通する、非球面とされたカバーレンズ１１のレンズ本体１２に形成された光制御出射面１５の設計概念を説明する図面である。前述の通り、本発明のカバーレンズ１１における光制御出射面１５は、入射伝搬光をレンズ本体１２の幅方向中央に概念される中心軸ＣＬを以て対向する二方向へ振り分け、出射するように形成される必要がある。
【００４５】
そこで、まず、直交座標の原点にＬＥＤ３１の発光面の中心点Ｐ１を配置し、この中心点Ｐ１から所定距離を離した位置に、ＹＺ平面に直交するＸＺ平面に対称なシリンドリカルレンズの出射面Ｓａを想定配置する（図５（ａ）参照）。この出射面Ｓａは、レンズの頂点ＰＴ０をＺ軸上に置くベース曲面（高次数非球面のベースとなる曲面）であり、コーニック定数Ｋ＝−１の放物面である。中心点Ｐ１と出射面Ｓａの頂点ＰＴ０とを結ぶ直線を軸とし、中心点Ｐ１を回転中心として、この出射面Ｓａを＋θ度回転させたときの頂点の位置をＰＴ１とし、回転後の出射面をＳ１とする（図５（ｂ）参照）。また、−θ度回転させたときの頂点の位置をＰＴ２とし、回転後の出射面をＳ２とする（図５（ｃ）参照）。そして、この出射面Ｓ１、Ｓ２をＸＺ平面で切断する。これら出射面Ｓ１、Ｓ２の切断された面のうち、頂点ＰＴ１とＰＴ２を有する側の面を選択して、この２つの面の切断面どうしを接続することにより、図５（ｄ）に示す出射面Ｓｂができる。このようにして想定される出射面Ｓｂの形状を高次非球面係数を用いて調整し、図５においては図示しない被照射体６（ＸＺ平面と平行に配置される２つの対向配置された被照射体６）に向けて最適な照射光を出射できるように光制御出射面１５が設計される。この光制御出射面１５における頂点ＰＴ１−ＰＴ２間が、図１乃至図４における第１領域Ａ１となる。
【００４６】
このように設計される光制御出射面１５に加えて、対向配置される被照射体６への光の振り分け効果を補うために、第２乃至第４実施形態のように光制御入射面１４’を形成してもよい。
【００４７】
次に、本発明の照明装置Ｌの実施形態について説明する。
【００４８】
本実施形態の照明装置Ｌは、図６に示すように、内面に光の透過量を調節する遮光フィルム２が貼設された一対の被照射体６が間隙を介して互いに対向して配設されることにより導光空間部２９が形成される。ここで図６に示す座標軸ＹおよびＺは、図５の座標軸と一致している。導光空間部２９は、Ｙ軸方向に所定幅を有し、ＸＺ平面と平行な方向に広がる幅薄面広な空間である。また、この照明装置Ｌは、導光空間部２９の４つの側方のうち少なくとも１つの側方に配設され、一対の被照射体６を導光空間部２９側（照明装置Ｌの内側）から照射可能とされた光源部３０を備えている。光源部３０は、１つの側方に配置（配列）された１乃至複数個のＬＥＤ３１と、ＬＥＤ３１と導光空間部２９との間に１つの側方に沿って延在させて配設されたシリンドリカルなカバーレンズ１１とを備えている。図１１に示す従来の照明装置の蛍光管９に替えて光源部３０とする以外は、従来の照明装置と本発明の照明装置Ｌとは実質的に同一である。
【００４９】
尚、例示した遮光フィルム２は照明装置Ｌに要求される仕様によって、光の透過量を調整する必要がある場合に用いられるものであり、照明装置Ｌに必須な構成ではない。被照射体６の外側表面は、照明装置Ｌにおける発光面６ａとして機能する。そして本実施形態においては、発光面６ａから出射される照明光によって情報表示面８が照明されている。
【００５０】
具体的には、前記筐体１は全体外形を幅薄面広な方形とされており、図示しない電気的な配線がされた天板２と底板３とを一対の側板（図示せず）で連接させた矩形状の枠体４と、その枠体４にそれぞれ互いに対向させるように配置された一対の被照射板５とから構成され、中空に形成されている。
【００５１】
被照射板５はその中央部に矩形状の開口５ａが形成された枠状とされており、開口５ａには、被照射体としてのアクリル樹脂等の樹脂材からなる被照射体としての拡散板６が嵌着等により固定されるようになっている。そして、各拡散板６の筐体１内に向く面（内面）には、光源からの遠近で表示面に輝度の差が生じないように光の透過量を調節する遮光フィルム７が貼設されている。本実施形態においては、遮光フィルム７は、光源に近い側が光源から遠い側よりも透過率が低くなるように調整されたものを用いる。なお、本実施形態における拡散板６は、前述のカバーレンズ１１の実施形態にいうところの被照射体であり、遮光フィルム７が貼設された拡散板６の内面領域が前述のカバーレンズ１１の実施形態にいうところの被照射領域となる。
【００５２】
また、中空とされた筐体１内の枠に隠れる部分であって、導光空間部２９の１つの側方となる天井部には光源部３０が配設され、光源としてのＬＥＤ３１とカバーレンズ１１が配設されている。
【００５３】
すなわち、光源部３０には、光源としての複数個のＬＥＤ３１が長手方向に所定の間隔で配設されたＬＥＤ固定板３２が配設されている。ＬＥＤ固定板３２は、ＬＥＤ３１が該筐体２１の厚さ方向における中央において導光空間部２９の１つの側方に沿って位置するようにして筐体１に固定されており、ＬＥＤ３１は、天板２に形成された配線と接続されて点灯可能とされている。なお、ＬＥＤ固定板３２には、カバーレンズ１１を所定位置に固定するための位置決め孔（図示せず）が形成されている。
【００５４】
そして、ＬＥＤ３１と導光空間部２９との間には、シリンドリカルなカバーレンズ１１が導光空間部２９の１つの側方に沿うように延在させて配設されており、前記ＬＥＤ３１の光をカバーレンズ１１を通して照射させることにより、直方体に形成される導光空間部２９の２つの主面に対応する拡散板６（被照射体６）の内面領域に向ける指向性を前記ＬＥＤ３１の光に付与するように構成されている。なお、前記カバーレンズ１１は、前述した本発明のカバーレンズ１１である。
【００５５】
図７は、本実施形態の照明装置Ｌに配設されるカバーレンズ１１としての、前述の第２実施形態のカバーレンズ１１の形状を示している。
【００５６】
該カバーレンズ１１はレンズ本体１２の幅方向両側にそれぞれレンズ本体１２に沿って延在するフランジ１３が形成されたシリンドリカルな長尺に形成されている。
【００５７】
本実施形態において、フランジ１３は、レンズ本体１２の入射面１４よりもＬＥＤ３１の配設側へ突出させて形成されており、フランジ１３とレンズ本体１２とにより、レンズ本体１２の入射面１４との間に適切な間隙を確保しつつ各ＬＥＤ３１を収容するための空間部を形成するようになっている。さらに、ＬＥＤ３１の配設側となるフランジ１３の面（裏面）は、配設面と平行となるように平面に形成されており、その表面にはＬＥＤ固定板３２に形成された位置決め孔に対応するピン３３が形成されている。そして、位置決め孔にピン３３を嵌着させて溶着等により固定することで、各ＬＥＤ３１が空間部内の幅方向中央において前記空間部の長手方向に位置するように構成されている。
【００５８】
このように構成された本実施形態の照明装置Ｌにおいては、導光空間部２９においては遮光フィルム７を用いて光の透過率を光源に対する遠近で異ならせておき、光源部３０に整列配置された各ＬＥＤ３１の出射光をカバーレンズ１１を通して照明部において対向配置された被照射領域となる拡散板６の内面へ遮光フィルム７の透過率をも勘案して振り分け、被照射体６を内側から照射することで、発光面６ａにおいては均一かつ十分な輝度の良好な照明を行なうことができる。
【００５９】
すなわち、本実施形態の照明装置Ｌにおいては、凸状のレンズ本体１２の光制御出射面１５における第２領域に到達した入射伝播光は、その到達点がレンズ本体１２の周辺部（裾部）に近いほどＬＥＤ３１から近く位置する被照射領域へ向けて照射される照射光として振り分けられ、他の照射光と交差せずに被照射領域へ到達する。また、光制御出射面１５における第１領域Ａ１に到達した入射伝播光は、この第１領域Ａ１のサグ部１６により、両側の被照射領域に向けて照射される照射光として振り分けられる。
【００６０】
そして、各情報表示Ｎが施された拡散板６に向けて照射された照射光が、遮光フィルム７と拡散板６を透過することで、良好に照明光の得られる発光面６ａとすることができる。
【００６１】
このとき、照射光が比較的小さな角度（小さな入射角）で入射する、拡散板６のＬＥＤ３１に近い領域においては、遮光フィルム７は低透過率とし、逆に、照射光が比較的大きな角度（大きな入射角）で入射することとなる、拡散板６のＬＥＤ３１から遠い領域においては、遮光フィルム７は高透過率としているので、良好な照明光を発光面６ａにおいて得ることができ、この照明光によって情報表示面８においては均一な輝度の照明を行なうことができる。蓋し、比較的大きな角度を以て入射する照射光は被照射体により反射され易く、逆に、比較的小さな角度を以て入射する照射光は被照射体により反射され難いためである。
【００６２】
このように、カバーレンズ１１により、各ＬＥＤ３１の光に所定の指向性を付与することで、筐体１内を底板３へ向かって直進するＬＥＤ３１の光を無くすことができるので、各ＬＥＤ３１の光を無駄なく利用することができ、発光面６ａにおいては十分な輝度の照明光を得ることができる。
【００６３】
なお、前述の実施形態においては、筐体１内の底板３に、この底板３部に到達した照射光を、被照射領域（被照射体６）側へ振り分けて反射させる反射板を配設し、ＬＥＤ３１の光を更に無駄なく利用する構成とすることも可能である。
【００６４】
また、被照射体６の導光空間部２９側の面で反射され易い光を拡散板６や遮光フィルム７の表面などの照射光が照射される面にプリズム加工を施し、あるいは、プリズムシートを貼設して、そのプリズム面によって光を受けることで拡散板６を透過する外側へ向かう光に変え、照明に利用して輝度を上昇させる構成とすることも可能である。
【００６５】
また、カバーレンズ１１は、前述の第４実施形態に示すように、カバーレンズ１１の光制御出射面１５における幅方向断面における両端部分に微細な凹凸を形成し、粗面化させて形成したカバーレンズ１１としてもよい。
【００６６】
このようなカバーレンズ１１は、粗面部に到達した伝搬光を光源の近傍に拡散させて照射させる。よって、その拡散された照射光により、導光空間部２９の側方に沿って配列された各ＬＥＤ３１間におけるＬＥＤ３１の近傍領域を照射することができ、前記発光面６ａにおいて、さらに輝度差を抑えた照明光を得ることができる。
【００６７】
さらに、照明装置Ｌは、通行人等が相互に行き交う通路や広場の高所に、対向させて配設された被照射板５の情報表示面８が行き交う人の目に止まるようにして配設され、案内表示板や誘導板等として用いられる電飾パネル装置として利用することも可能である。
【００６８】
その場合、一対の拡散板６の筐体１外に向く面（外面）には、直接印刷あるいは印刷された透明シートの貼着等により、所望の情報表示Ｎを施して情報表示面８とし、筐体１の内側から（発光面６ａから）の照明光によって情報表示Ｎを照明する表示部３４とする。
【００６９】
このような、電飾パネル装置として利用される照明装置Ｌにおいては、表示部３４においては遮光フィルム７を用いて光の透過率を光源に対する遠近で異ならせておき、光源部３０に整列配置された各ＬＥＤ３１の出射光をカバーレンズ１１を通して被照射領域となる拡散板６の内面へ遮光フィルム７の透過率をも勘案して振り分け、表示部３４を内側から照射し、その照射光を遮光フィルム７を透過させることで、情報表示面８においては均一かつ十分な輝度の良好な照明表示を行なうことができる。
【００７０】
ここで、図８は、本発明の実施形態の照明装置Ｌを含む４つの異なる構成の照明装置Ｌについて、発光面６ａにおけるＬＥＤ３１の配列方向（Ｘ軸方向）に交差する方向（図９中のＺ軸方向）の輝度分布の測定結果を比較して示すグラフである。
【００７１】
この測定は、図９に示す、照明装置Ｌの筐体１内における光源部３０に２３個のＬＥＤ３１が５２ｍｍピッチで配列されている場合を想定し、筐体１の横方向（長手方向）中央部分に相当する、図９中一点鎖線で囲む部分の実験用の筐体１（以下、モデル筐体１’という）を作成して行った。図９に示す筐体１は、縦（Ｚ軸方向）４５０ｍｍ、横（Ｘ軸方向）１３００ｍｍ、厚さ（Ｙ軸方向）７４ｍｍの外形状とされ、被照射板５は両側方（Ｘ軸方向端部）における枠寸法ＦＲ１をそれぞれ５０ｍｍ、天板２方向（被照射板５のＺ方向における光源が配置される側）の枠寸法ＦＲ２を１００ｍｍ、底板３方向（Ｚ軸方向における反光源配置側）の枠寸法ＦＲ３を１０ｍｍとする枠状と形成され、その中央の開口５ａには３ｍｍ厚の乳半板の拡散板６が嵌着されているものとする。モデル筐体１’の横方向（Ｘ軸方向）寸法は３００ｍｍとした。
【００７２】
第１試料は、モデル筐体１’の拡散板６の内面側に、光源側が反光源側よりも光の透過率が低くなるように設定された遮光フィルム７を配設し、光源部３０は、本願発明のカバーレンズ１１の配設を省略して従来の照明装置Ｌと略同様の構成とした。
【００７３】
第２試料は、モデル筐体１’の拡散板６の内面側に、光源側が反光源側よりも光の透過率が低くなるように設定された遮光フィルム７を配設し、さらに、光源部３０は、光制御出射面１５における幅方向断面における両端部分に粗面部１７を形成した第４実施形態のカバーレンズ１１を配設する構成とした。なお、第４実施形態のカバーレンズ１１は、第２実施形態のカバーレンズ１１の光制御出射面１５の幅方向断面における両端部分を粗面化させて形成したカバーレンズ１１である。
【００７４】
第３試料は、モデル筐体１の拡散板６の内面側に遮光フィルム７を配設せず、光源部３０に、光制御出射面１５における幅方向断面における両端部分に粗面部１７を形成した第４実施形態のカバーレンズ１１を配設する構成とした。
【００７５】
第４試料は、モデル筐体１の拡散板６の内面側に遮光フィルム７を配設せず、光源部３０には、光制御出射面１５における幅方向断面における両端部分が粗面化されていない前述の第２実施形態のカバーレンズ１１を配設する構成とした。
【００７６】
そして、第１乃至第４の各試料において、横方向中央付近に位置するＬＥＤ３１と同じ仮想幅方向断面線上であって、拡散板６の表面における光源側から１７ｍｍのポイントを第１測定ポイント（図９にＰ１で示す）とし、この第１測定ポイントから３０ｍｍ間隔とされた仮想幅方向断面線上の各ポイントを順次第２測定ポイントから第１０測定ポイント（図９にＰ１０で示す）として、各測定ポイントにおける輝度を測定し、発光面６ａにおける縦方向（Ｚ軸方向）での輝度ムラの発生状態を比較した。
【００７７】
なお、第１乃至第４の試料には何れも同じスペックのＬＥＤ３１を用い、第２乃至第４の試料におけるカバーレンズ１１の配設位置（ＬＥＤ３１との間隙寸法）も等しく設計した。図８中の白抜き三角（△）は第１試料の測定結果であり、黒塗りの菱形（◆）は第２試料の測定結果であり、黒丸（●）は第３試料の測定結果であり、黒塗りの四角（■）は第４試料の測定結果である。
【００７８】
この４つの試料に関する輝度分布の測定結果によれば、第１試料においては光源側が反光源側よりも光の透過率が低くなるように設定された遮光フィルム７が配設されているものの、光源側と反光源側との輝度差が大きく、最も輝度値の大きい第１測定ポイント（７１０cd/m２）と最も輝度値の低い反光源側の第８測定ポイント（１０５cd/m２）とでは約７倍の輝度差があった。この輝度ムラは明らかに情報表示面８における照明表示を害するものとなることが予想される。
【００７９】
これに対し、前述の第１試料に本発明のカバーレンズ１１が配設され、前述の実施形態と略同様に構成された第２試料においては、光源側から反光源側までの何れの測定ポイントにおいてもその輝度値に差がなく、最も輝度値が大きかったのは、最も反光源側に位置する第１０測定ポイント（２１０cd/m２）であり、また、最も輝度値が小さかったのは、第７測定ポイント（１４５cd/m２）とであって、その差は約１．５倍であった。情報表示面８における照明表示の輝度ムラは殆ど視認されないであろうことが予想される。
【００８０】
また、遮光フィルム７を配設しない点で第２試料と異なる第３試料においては、カバーレンズ１１による配光により、最も輝度値の大きい第２測定ポイント（６６０cd/m２）と最も輝度値の低い反光源側の第７の測定ポイント（２６０cd/m２）とで約２．５倍の輝度差とすることができ、前述の第１試料と比べて格段に輝度差を抑えることができた。
【００８１】
また、カバーレンズ１１の周辺部に粗面部１７が形成されていない点で第３試料と異なる第４試料においても、カバーレンズ１１による配光により、最も輝度値の大きい第２の測定ポイント（７８０cd/m２）と最も輝度値の低い反光源側の第７の測定ポイント（２６０cd/m２）とで約３倍の輝度差とすることができ、前述の第１の試料と比べて格段に輝度差を抑えることができた。
【００８２】
さらに、光源側に近い第２測定ポイントの輝度値が隣位の測定ポイントよりも突出して大きくなったのは、カバーレンズ１１の光制御出射面１５の周辺部に粗面部１７が形成されていないため、光源近くに照射される照射光が拡散されなかったためと考えられる。逆を返せば、このカバーレンズ１１の周辺部に粗面部１７を形成することにより、光源近くの第１乃至第３測定ポイントにおける輝度差を小さくすることができることが、第４試料との比較において、第２および第３試料で確認された。
【００８３】
また、図１０は、前述の本発明の照明装置Ｌのうち第３試料と第４試料の照明装置Ｌについて、発光面６ａの表面におけるＬＥＤ３１の配列方向（図９中、モデル筐体１’のＸ軸方向）の輝度分布の測定結果を比較して示すグラフである。図中には、ＬＥＤ３１の配設位置に対応する４箇所を星印で示している。図１０において、実線は第３試料の測定結果を、破線は第４試料の測定結果を示す。
【００８４】
この測定においては、前述の第３試料と第４試料を用い、横方向中央付近に位置するＬＥＤ３１と同じ仮想幅方向断面線上であって被照射体としての拡散板６の表面（発光面６ａ）の光源側から１７ｍｍの位置における横方向の輝度を測定し、輝度ムラの発生状態を比較した。なお、第３試料と第４試料を用いたのは、これらの試料には遮光フィルム７が配設されていないため、カバーレンズ１１に形成された粗面部１７の作用効果が、ＬＥＤ３１に近い領域の輝度として顕著に現れるためである。なお、この第３および第４試料においては４つのＬＥＤ３１が、導光空間部２９の側方（Ｘ軸方向）に沿って５２ｍｍ間隔で配列されている。
【００８５】
この測定の結果、カバーレンズ１１の光制御出射面１５の周辺部に粗面部１７が形成されていない第４試料においては、発光面６ａの光源近傍においてＬＥＤ３１の配列方向に、輝度の高い部分と低い部分とが交互に出現する波形状の輝度分布を検出した。輝度の高い部分はＬＥＤ３１の配設位置に対応する部分で、その輝度は約６３０cd/m２、輝度の低い部分は各ＬＥＤ３１間に対応する部分で、その輝度は約４５０cd/m２であり、その輝度差は１８０cd/m２であった。
【００８６】
この波形の輝度分布が示すように、第４試料においては、ＬＥＤ３１の配列方向に沿って発光面６ａの光源近傍に明部と暗部が繰り返し視認されてしまう輝度ムラの問題がある照明となることがわかった。
【００８７】
これに対し、カバーレンズ１１の光制御出射面１５の周辺部に粗面部が形成された第３試料においては、発光面６ａの光源近傍においてＬＥＤ３１の配列方向になだらかに連なる尾根状の輝度分布を検出した。ＬＥＤ３１の配設位置に対応する部分において最も高い輝度値が６３０cd/m２、最も低い輝度値は５２０cd/m２であったのに対し、各ＬＥＤ３１間に対応する部分において最も高い輝度値が５５０cd/m２、最も低い輝度値は５２０cd/m２であり、全体的な輝度差は１１０cd/m２であった。
【００８８】
この尾根状の輝度分布が示すように、第３試料においては、ＬＥＤ３１の配列方向に沿った発光面６ａの光源近傍に明部と暗部が繰り返し視認されてしまう輝度ムラの問題が改善された良好な照明となることがわかった。
【００８９】
このように、本願発明のカバーレンズ１１を備えた照明装置Ｌにおいては、光源に配設されたＬＥＤ３１の光で、発光面６ａにおいて均一かつ十分な輝度の照明光が得られ、情報表示面８において良好な照明を行なうことができる。
【００９０】
尚、第４試料のように、光源近傍に輝度ムラ（ＬＥＤ３１に対応する位置、およびＬＥＤ３１−ＬＥＤ３１間に対応する位置に到達する光の光量差による輝度ムラ）が発生するものであっても、この輝度ムラ発生部分を覆い隠すために十分な距離の額縁部分を設けたり、ＬＥＤ３１の配列方向に透過率の高低差を設けるように調整された遮光フィルム２７を配置したりすることによって、問題のない品質レベルの発光面を得ることも可能である。
【００９１】
なお、本実施形態においては、照明装置Ｌは光源部３０を天井部に設けているが、光源部３０の配設位置も、照明装置Ｌの配設状態における上方（天井部）に限るものではない。電飾パネル装置として用いる場合においても同様である。
【図面の簡単な説明】
【００９２】
【図１】本発明の点状光源カバーレンズの第１実施形態の構成を示す要部断面図（ａ）と光路を示す要部断面図（ｂ）
【図２】本発明の点状光源カバーレンズの第２実施形態の構成を示す要部断面図（ａ）と光路を示す要部断面図（ｂ）
【図３】本発明の点状光源カバーレンズの第３実施形態の構成を示す要部断面図（ａ）と光路を示す要部断面図（ｂ）
【図４】本発明の点状光源カバーレンズの第４実施形態の構成を示す要部断面図（ａ）と光路を示す要部断面図（ｂ）
【図５】本発明の点状光源カバーレンズのレンズ本体に形成された光制御出射面の設計概念における設計工程（ａ）〜（ｄ）を示す説明図
【図６】本発明の照明装置（電飾パネル装置）の実施形態を示す要部断面図
【図７】図６の照明装置に配設された点状光源カバーレンズの形状を示す斜視図（ａ）、断面図（ｂ）、背面図（ｃ）、平面図（ｄ）および正面図（ｅ）
【図８】異なる構成の４つの照明装置の被照明部の外面における、ＬＥＤ配列方向に交差する方向（Ｚ軸方向）の輝度分布の測定結果を比較して示すグラフ
【図９】輝度分布測定の試料となる筐体の寸法説明図
【図１０】異なる構成の２つの照明装置の発光面における、ＬＥＤ配列方向（Ｘ軸方向）の輝度分布の測定結果を比較して示すグラフ
【図１１】従来の照明装置（電飾パネル装置）の実施形態を示す要部断面図
【符号の説明】
【００９３】
１  筐体
２  天板
３  底板
４  枠体
５  被照射板
５ａ  開口
６  拡散板（被照射体）
６ａ  発光面
７  遮光フィルム
８  情報表示面
９  蛍光灯
１１  点状光源カバーレンズ
１２  レンズ本体
１３  フランジ部
１４  入射面
１４’  光制御入射面
１５  出射面（光制御出射面）
１６  サグ部
１７  粗面部
２９  導光空間部
３０  光源部
３１  ＬＥＤ
３２  ＬＥＤ固定板（ＬＥＤ基板）
３３  ピン
３４  表示部
Ｌ  照明装置
Ｎ  情報表示
Ａ１  第１領域
Ａ２  第２領域
Ａ３  第３領域
ＯＡ  光軸
ＣＬ  中心軸
【図１】
2010129447.tif 000003
【図２】
2010129447.tif 000004
【図３】
2010129447.tif 000005
【図４】
2010129447.tif 000006
【図５】
2010129447.tif 000007
【図６】
2010129447.tif 000008
【図７】
2010129447.tif 000009
【図８】
2010129447.tif 000010
【図９】
2010129447.tif 000011
【図１０】
2010129447.tif 000012
【図１１】
2010129447.tif 000013